(57)【要約】  本開示のプッシュスイッチは、第１接点と、第２接点と、第３接点と、接触片を有する接触部材と、可動部材と、を備え、前記接触片は、記可動部材の下方に配置され、前記可動部材が押圧されて、前記可動部材によって前記接触片が下方に押圧されると、前記接触部材は前記第２接点を前記第１接点に電気的に接続させ、前記可動部材によって前記接触片が更に下方に押圧されると、前記接触部材は、前記第３接点および前記第２接点を、前記第１接点に電気的に接続させる。
2019176405.tif 000002
【特許請求の範囲】
【請求項１】
第１面を含む基材部と、
前記第１面から一部が露出するように前記基材部に配置された第１接点と、
前記第１面から一部が露出するように前記基材部に配置された第２接点と、
前記第１面から一部が露出するように前記基材部に配置された第３接点と、
前記第１面に対して第１方向に配置され、一方の端部が固定され他方の端部が移動可能な接触片を有する接触部材と、
前記第１面に対して前記第１方向に配置され、前記第１面に向かって開口する凹部を有する可動部材と、
を備え、
前記接触部材の前記接触片は、前記可動部材に対して前記第１方向と反対の方向である第２方向に配置され、
前記可動部材が前記第２方向に押圧され、前記可動部材によって前記接触片が前記第２方向に押圧されると、前記接触部材は前記第２接点を前記第１接点に電気的に接続させ、
前記可動部材によって前記接触片が更に前記第２方向に押圧されると、前記接触部材は、前記第３接点および前記第２接点を、前記第１接点に電気的に接続させる、
プッシュスイッチ。
【請求項２】
前記接触部材は、枠部を更に有し、
前記接触片の前記一方の端部は、前記枠部に固定されており、
前記枠部は、前記第１接点に接触しており、
前記接触片の前記他方の端部は、前記第２接点の前記基材部からの露出面と前記第１方向に間隔を空けて配置されており、
前記接触片の中央部は、前記第３接点の前記基材部からの露出面と前記第１方向に間隔を空けて配置されている、
請求項１記載のプッシュスイッチ。
【請求項３】
前記第２接点の前記基材部からの前記露出面は、前記第３接点の前記基材部からの前記露出面より、前記第１方向に位置する、
請求項１記載のプッシュスイッチ。
【請求項４】
前記第１面は前記第２方向に下がる段差部を有し、
前記第１接点および前記第２接点は、前記段差部の周辺領域で露出しており、
前記第３接点は、前記段差部内で露出している、
請求項１記載のプッシュスイッチ。
【請求項５】
前記可動部材の前記凹部の内壁が、前記接触片の前記中央部を前記第２方向に押圧することで、前記接触片の前記中央部が前記第３接点に向かって突出するように変移可能である、
請求項２記載のプッシュスイッチ。
【請求項６】
前記第１方向から見て、前記第３接点の前記基材部からの露出面の中心と前記第１接点の前記基材部からの露出面の中心とを繋ぐ第１仮想直線と、前記第３接点の前記基材部からの前記露出面の中心と前記第２接点の前記基材部からの露出面の中心とを繋ぐ第２仮想直線とが交差するように、前記第１接点、前記第２接点、および前記第３接点は、前記基材部に配置されている、
請求項１記載のプッシュスイッチ。
【発明の詳細な説明】
【技術分野】
【０００１】
本開示は、各種電子機器の入力操作部などに用いられるプッシュスイッチに関する。
【背景技術】
【０００２】
従来のプッシュスイッチとして特許文献１による構成のプッシュスイッチが知られている。【０００３】
特許文献１によるプッシュスイッチは、ケースと、外側接点と、中央接点と、接触片を含む接触部材と、ゴム製の可動部材と、操作体と、を有する。ケースは、樹脂製の基材部と、基材部に組み合わせられる樹脂製の筒状部材と、で構成されている。外側接点と中央接点は基材部に配置されている。接触部材は、弾性を有する金属薄板からなり、リング状の枠部と、枠部の内側に枠部と一体に形成され直線状の形状の片持ち梁状の接触片と、を有する。接触片は、枠部との接続箇所より先端の方が高い位置になるように、傾斜状態に形成されている。接触部材は、枠部が外側接点に載るように配置されている。接触片の先端は中央接点に間隔をあけて対向している。可動部材は、下方が開口するドーム状部と、ドーム状部の外面に突起部と、を一体で有する。可動部材は、ドーム状部が枠部に載るように配置されている。さらに突起部に重なるように操作体が配置され、操作体は、基材部側とは反対方向の端部がケースから外方に突出している。【０００４】
上記構成のプッシュスイッチは、操作体を押し込み操作すると、可動部材のドーム状部が座屈変形する。この座屈変形に応じて接触片がドーム状部で押されて、接触片は傾斜角度が小さくなるように基材部側に移動する。接触片の先端が中央接点に接触することで、スイッチがオン状態に切り換わる。操作体への押圧力を除くと、可動部材および接触片が元の形状に自己復元してスイッチがオフ状態に戻る。
【先行技術文献】
【特許文献】
【０００５】
【特許文献１】特開２０００−１８８０３７号公報
【発明の概要】
【０００６】
本開示の一態様のプッシュスイッチは、第１面を含む基材部と、前記第１面から一部が露出するように前記基材部に配置された第１接点と、前記第１面から一部が露出するように前記基材部に配置された第２接点と、前記第１面から一部が露出するように前記基材部に配置された第３接点と、前記第１面に対して第１方向に配置され、一方の端部が固定され他方の端部が移動可能な接触片を有する接触部材と、前記第１面に対して前記第１方向に配置され、前記第１面に向かって開口する凹部を有する可動部材と、を備える。前記接触部材の前記接触片は、前記可動部材に対して前記第１方向と反対の方向である第２方向に配置され、前記可動部材が前記第２方向に押圧され、前記可動部材によって前記接触片が前記第２方向に押圧されると、前記接触部材は前記第２接点を前記第１接点に電気的に接続させ、前記可動部材によって前記接触片が更に前記第２方向に押圧されると、前記接触部材は、前記第３接点および前記第２接点を、前記第１接点に電気的に接続させる。
【図面の簡単な説明】
【０００７】
【図１】実施の形態１によるプッシュスイッチの外観斜視図
【図２】実施の形態１によるプッシュスイッチの分解斜視図
【図３】第２接点および第３接点に対する接触片の配置を説明する実施の形態１によるプッシュスイッチの断面図
【図４】第１接点に対する接触部材の配置を説明する実施の形態１によるプッシュスイッチの断面図
【図５】実施の形態１によるプッシュスイッチの基材部の平面図
【図６】図５に示す基材部に接触部材を配置した状態を示す平面図
【図７】第２の実施形態によるプッシュスイッチの外観斜視図
【図８Ａ】第２の実施形態によるプッシュスイッチの分解斜視図
【図８Ｂ】第２の実施形態による他のプッシュスイッチの分解斜視図
【図９Ａ】第２の実施形態によるプッシュスイッチの断面図
【図９Ｂ】第２の実施形態による他のプッシュスイッチの断面図
【図１０】第２の実施形態によるプッシュスイッチの基材部の平面図
【図１１】図１０に示す基材部に接触部材を配置した状態を示す平面図
【図１２Ａ】図１０に示す基材部に接触部材および可動部材を配置した状態を示す平面図
【図１２Ｂ】図１０に示す基材部に接触部材および他の可動部材を配置した状態を示す平面図
【図１３Ａ】接触片が、第２接点および第３接点に接触する前の状態を示す概略図
【図１３Ｂ】接触片が、第２接点に接触し第３接点に接触する前の状態を示す概略図
【図１３Ｃ】接触片が、第２接点および第３接点に接触した状態を示す概略図
【発明を実施するための形態】
【０００８】
電子機器の入力操作部の多様化が進み、プッシュスイッチにも操作形態を含む様々な仕様を要求されることが多くなってきた。例えば操作時にクリック感触が得られつつ１段目のスイッチの状態が切り換わり、その後に２段目のスイッチの状態の切り替えを可能とする２段動作タイプのプッシュスイッチが要望されることがある。上述した従来のプッシュスイッチでは、この仕様に対応できないという問題があった。
【０００９】
本開示のプッシュスイッチは、クリック感触が得られつつ２段動作タイプのプッシュスイッチを実現することができる。
【００１０】
本実施の形態によるプッシュスイッチについて、以下、図面を用いて説明する。なお、以下に説明する構成は本開示の一例に過ぎず、本開示は以下に説明する構成に限定されない。したがって、以下に説明する構成以外であっても、本開示に係る技術的思想を逸脱しない範囲であれば、設計等に応じて種々の変更が可能である。
【００１１】
なお、本開示では、「上」、「下」、「上方」、「下方」等の方向を示す用語を用いて説明するが、これらは相対的な位置関係を示しているだけであり、それにより本開示が限定されるものではない。
【００１２】
以下で説明する実施の形態では、『図３の上方』を「上」、『図３の下方』を「下」として説明する。上下方向に対して垂直な方向を「水平方向」として説明する。
【００１３】
また、図３における上方に向かう方向を「第１方向」、図３における下方に向かう方向を「第２方向」として説明する場合がある。
【００１４】
（実施の形態１）
図１は実施の形態１によるプッシュスイッチ１の外観斜視図、図２はプッシュスイッチ１の分解斜視図、図３は第２接点２０および第３接点３０に対する接触片４０の配置を説明するプッシュスイッチ１の断面図、図４は第１接点１０に対する接触部材５０の配置を説明するプッシュスイッチ１の断面図である。図５は基材部１００の平面図、図６は基材部１００に接触部材５０を配置した状態を示す平面図である。
【００１５】
プッシュスイッチ１は、図１、図２、図３に示すように、基材部１００と、基材部１００に結合された筒状部材１１０と、固定接点部（第１接点１０、第２接点２０、第３接点３０）と、接触部材５０と、可動部材７０と、操作体８０とを有する。可動部材７０は、ドーム状部６２、凸部６２Ａ（図３参照）、突起部６４とで構成されている。突起部６４は、ドーム状部６２に対して第１方向（図３参照）の外面に形成され、凸部６２Ａは、ドーム状部６２から第２方向（図３参照）に向かって突出している。ドーム状部６２、凸部６２Ａ、突起部６４は一体で形成されている。可動部材７０はゴム製である。操作体８０は突起部６４を覆うように配置される。
【００１６】
基材部１００は凹部を有し、基材部１００と筒状部材１１０とでケースを構成している。基材部１００および筒状部材１１０は樹脂製である。そして、基材部１００の凹部の底面（以下、一面１０２と表す）には、固定接点部（第１接点１０、第２接点２０、第３接点３０）が形成されている。基材部１００の凹部内に接触部材５０が収容されている。そして、固定接点部（第１接点１０、第２接点２０、第３接点３０）と接触部材５０とでスイッチ接点部が構成されている。
【００１７】
図５に示すように、第１接点１０、第２接点２０、第３接点３０のそれぞれの表面は、一面１０２から露出しており、互いに電気的に独立している。第１接点１０は所謂外側接点である。基材部１００を上方（図５では正面）から見て、第２接点２０の露出面２０Ａは第１接点１０の露出面１０Ａよりも中心に近い位置に配置され、さらに第３接点３０の露出面３０Ａは第２接点２０の露出面２０Ａより基材部１００の中心に近い位置に配置されている。なお、本実施の形態では第３接点３０の露出面３０Ａは基材部１００の中心で露出している。第２接点２０の露出面２０Ａの中心と第３接点３０の露出面３０Ａの中心とを繋ぐ仮想直線に対して、その仮想直線および延長線上に第１接点１０の露出面１０Ａが位置しないように構成されている。換言すれば、第３接点３０の露出面３０Ａの中心と第１接点１０の露出面１０Ａの中心とを繋ぐ仮想直線と、第３接点３０の露出面３０Ａの中心と第２接点２０の露出面の中心とを繋ぐ仮想直線とは交差関係になるように第１接点１０、第２接点２０、第３接点３０は配置されている。
【００１８】
この構成であれば、図５に示すように、第２接点２０および第３接点３０の引き回しが容易で、小型品への対応の際などに有利である。
【００１９】
なお、本実施の形態のように、第３接点３０の露出面３０Ａは基材部１００の中央付近に配置すると望ましい。しかしながら、必ずしも第３接点３０の露出面３０Ａは基材部１００の中央に位置する必要はない。
【００２０】
また、本実施の形態のプッシュスイッチ１では、第２接点２０の露出面２０Ａが第１接点１０の露出面１０Ａと第３接点３０の露出面３０Ａとの間に位置していないため、第１接点１０の露出面１０Ａと第３接点３０の露出面３０Ａとの間の距離を近づけることができる。その結果、プッシュスイッチ１を上方から見た面積を小さくすることができる。もし、第１接点１０の露出面１０Ａと第３接点３０の露出面３０Ａとの間に第２接点２０の露出面２０Ａが位置する場合は、第１接点１０の露出面１０Ａと第３接点３０の露出面３０Ａとの間の距離を広くする必要がある。
【００２１】
また、本実施の形態のプッシュスイッチ１では、第３接点３０の露出面３０Ａの高さが、第２接点２０の露出面２０Ａの高さよりも低くなるように、第３接点３０および第２接点２０は基材部１００に設けられている。
【００２２】
これらの構成の詳細については、図１３Ａ〜図１３Ｃを参照しながら後述する。
【００２３】
接触部材５０は、弾性を有する金属薄板製で、接触片４０と接触片４０の周囲を囲む枠部５２を有する。枠部５２は平面視で切れ目のない略円形のリング状である。そして、枠部５２の周縁には、一体形成された規制部５４が設けられている。規制部５４は枠部５２の対称位置に外方に突出して設けられている。つまり、枠部５２の一つの直径に沿って外方に突出するように２つの規制部５４が枠部５２に設けられている。それぞれの規制部５４には二つの係止片５６が設けられている。同じ規制部５４に設けられている２つの係止片５６は枠部５２から水平方向に所定間隔が空くように設けられている。つまり規制部５４の外端に近い位置に係止片５６は設けられている。係止片５６は、規制部５４の側部を上方に曲げて形成されている。係止片５６は、爪状形状である。
【００２４】
接触片４０の外形は直線状に延びる形状である。接触片４０は片持ち梁状である。接触片４０は枠部５２内に納まる長さで形成されている。接触片４０の根元４４は、枠部５２の内周に繋がっている。図３に示すように側面視では、接触片４０は根元４４から端部４２に向かうにつれて上昇するように傾斜している。図２に示すように接触片４０は、端部４２と根元４４との間に上方から見て端部４２および根元４４より幅が広い中央部４６を有する。中央部４６は例えば平面視で略円形の形状である。
【００２５】
上述したように、基材部１００に第１接点１０〜第３接点３０が固定状態で配置されていて、一面１０２から露出面１０Ａ〜３０Ａが露出している。そして、図５および図６に示すように、基材部１００の凹部を構成する内壁には外方に矩形状で窪んでいる係合部１０４が設けられている。図５に示すように基材部１００を上方から見て、係合部１０４は、第１接点１０の露出面１０Ａよりも外方位置に設けられている。そして、係合部１０４内に規制部５４が配置され、係止片５６の外端および規制部５４の外端のそれぞれは、対応する係合部１０４の内面部で移動規制をされている。
【００２６】
図４に示すように、接触部材５０は、枠部５２が第１接点１０の露出面１０Ａに接するように配置されている。図３に示すように、接触片４０の端部４２は第２接点２０の露出面２０Ａに間隔をあけて対向し、接触片４０の中央部４６は第３接点３０の露出面３０Ａに間隔をあけて対向している。つまり、接触片４０の一面１０２（図２参照）に対向する側の面（接触片４０の下面）は、第２接点２０の露出面２０Ａおよび第３接点３０の露出面３０Ａの両方に間隔をあけて対向している。接触片４０と第２接点２０の露出面２０Ａとが対向する方向、および、接触片４０と第３接点３０の露出面３０Ａとが対向する方向は、所謂操作方向（第２方向）に沿う方向である。
【００２７】
可動部材７０は、下方開口のドーム状部６２と、ドーム状部６２の外面（図３では上方）に突起部６４とを有し、ドーム状部６２と突起部６４は、一体形成されている。可動部材７０は下方に開口する凹部７０Ａを有する。つまり可動部材７０の凹部７０Ａの内壁は、ドーム状部６２の内壁および凸部６２Ａの外面で形成されている。ドーム状部６２の開口側の端部（図３では下端）が枠部５２に重なるように配置されている。ドーム状部６２の外側面は係止片５６に対して離間している。この構成であれば、係止片５６によるドーム状部６２への損傷の発生を抑制できる。ドーム状部６２の天面には、接触片４０の中央部４６を押すための凸部６２Ａが設けられている。ここではドーム状部６２の天面とは、ドーム状部６２の上面のことである。凸部６２Ａの先端（下端）は平坦面である。そして、操作体８０が押圧されていない状態では、ドーム状部６２および凸部６２Ａは、接触片４０に対して離間している（図３および図４参照）。
【００２８】
操作体８０は、突起部６４の上方を覆うように配置されている。操作体８０は、筒状部材１１０の孔部から外方に突出する部位を有する。なお、操作体８０は、ケースを構成する筒状部材１１０に係合することで抜け止め及び回転規制を受けている。
【００２９】
以上のように、プッシュスイッチ１は構成されている。
【００３０】
次にプッシュスイッチ１の動作について図３および図４を参照しながら説明する。また、接触片４０の動作の詳細については、図１３Ａ〜図１３Ｃに示す概略図を用いて説明する。図１３Ａは、接触片４０が、第２接点２０および第３接点３０に接触する前の状態を示す概略図で、図１３Ｂは、接触片４０が第２接点２０に接触し、接触片４０が第３接点３０に接触する前の状態を示す概略図で、図１３Ｃは、接触片４０が、第２接点２０および第３接点３０に接触した状態を示す概略図である。
【００３１】
[初期状態]
操作体８０が下方（第２方向）に向かって押し込まれる前、図３、図４、図１３Ａに示すように、接触片４０は、第２接点２０および第３接点３０の両方に接触していない。なお、図４に示すように、本実施の形態では、第１接点１０は、常に、接触片４０の枠部５２と接触しているが、必ずしもその必要はない。
【００３２】
[１段目のスイッチ動作]
次に、操作体８０が下方（第２方向）に向かって押し込まれると、操作体８０への操作力は可動部材７０に伝わる。可動部材７０に所定の大きさの力が加わるとドーム状部６２が座屈変形する。ドーム状部６２のこの座屈変形に応じて、接触片４０の中央部４６が凸部６２Ａで押されて、接触片４０は端部４２が下がるように移動していく。つまり接触片４０の一面１０２に対する傾斜角度が少なくなっていき、端部４２が第２接点２０に接触する（図１３Ｂ参照）。この接触によって、第２接点２０と第１接点１０との間が接触部材５０を介して電気的に接続されて１段目のスイッチがオン状態に切り換わる。このときには、ドーム状部６２の座屈に応じて所定のクリック感触が得られる。
【００３３】
なお、図１３Ｂに示すように、端部４２が第２接点２０に接触するタイミングおよびこれに対応する操作力での操作状態では、中央部４６が第３接点３０には接触しないように基材部１００の一面１０２には、段差部１０２Ａが設けられており、第２接点２０は、段差部１０２Ａの周辺領域１０２Ｂで基材部１００から露出しており、第３接点３０は、段差部１０２Ａ内で露出している。つまり、図１３Ａ〜図１３Ｃに示すように、第２接点２０の基材部１００からの露出面２０Ａは、第３接点３０の基材部１００からの露出面３０Ａより、上方（第１方向）に位置する。
【００３４】
[２段目のスイッチ動作]
その後、１段目のスイッチがオンした状態から操作体８０への更なる押圧操作が実行されると、接触片４０は下方に向かって更に押圧される。この時、接触片４０の中央部４６付近は第３接点３０に近づくように変移する（図１３Ｃ参照）。換言すれば、可動部材７０の凸部６２Ａが、接触片４０の中央部４６付近を下方側（第３接点３０側）に凹状に変移させ、その結果、接触片４０の中央部４６と第３接点３０の露出面３０Ａが接触する。この時、第２接点２０に加えて第３接点３０も接触部材５０を介して第１接点１０と電気的に接続される。すなわち、２段目のスイッチの状態が切り換わる。この２段目のスイッチの状態の切り換えに要する力は、例えば軽いタッチ操作で行うことが可能である。つまり、２段目のスイッチの状態の切り換えをタッチ操作で行う場合、第２接点２０の露出面２０Ａと第３接点３０の露出面３０Ａの上下方向に対する位置の差は、段差部１０２Ａを設けることで実現することができる。
【００３５】
以上のようにプッシュスイッチ１では、１段目のスイッチがオン状態のまま、タッチ操作などの有無で２段目のスイッチをオフ状態からオン状態に切り換えたり、オン状態からオフ状態に切り換えたりすることができる。
【００３６】
なお、所望の操作で２段目のスイッチが切り換えられるように第２接点２０と第３接点３０との段差は適宜設定する。
【００３７】
また、第３接点３０の周縁領域が絶縁樹脂部（ここでは、基材部１００）に埋没するように形成することで、１段目のスイッチの状態が切り換わった時、凸部６２Ａは容易に停止可能となる。さらなるタッチ操作などの操作を行うことで、凸部６２Ａを介して接触片４０の中央部４６を第３接点３０に向かって変移させることができる。以上のように２段目のスイッチの状態が容易に切り換えられるように、第３接点３０が配置された構成にするとより好ましい。
【００３８】
なお、本実施の形態の接触片４０は、図６に示すように、中央部４６が開口部を有している。接触片４０はこの形状に限定されず、開口部を必ず有する必要はない。また、中央部に切込みを設けるなど、他の形状であってもよい。
【００３９】
［復帰動作］
次に操作体８０への操作力を除いた場合の動作について説明する。
【００４０】
操作体８０への押圧を中止すると、可動部材７０は元の形状に復帰し、接触片４０も元の形状（図１３Ａの状態）に復帰する。そして、再び、第１接点１０〜第３接点３０が互いに電気的に独立する状態に戻る。
【００４１】
なお、接触片４０は、上述した動作中および復元中を含めてドーム状部６２の内面に当接することのないように長さ寸法や幅寸法などを設定しておくと、操作感触への影響が抑えられ、かつドーム状部６２の内側からの破損を抑制できる。
【００４２】
以上のように、本開示のプッシュスイッチ１では、可動部材７０をゴム製としている。このため、操作体８０を長く押す操作（長ストロークタイプの操作）で、クリック感触と共に１段目のスイッチがオン状態に切り換わる。その後、１段目のスイッチがオン状態を維持したままで、タッチ操作のように操作体８０に軽い操作をすることで、２段目のスイッチのオン・オフを切り換えることができる。よって、上述したような仕様のプッシュスイッチを提供することができる。
【００４３】
（実施の形態２）
以下に、実施の形態２によるプッシュスイッチ１Ａについて図面を用いて説明する。
【００４４】
図７はプッシュスイッチ１Ａの外観斜視図、図８Ａはプッシュスイッチ１Ａの分解斜視図、図９Ａはプッシュスイッチ１Ａの断面図、図１０は基材部３００の平面図、図１１は基材部３００に接触部材２５０を配置した状態の平面図、図１２Ａは基材部３００に接触部材２５０および可動部材２７０を配置した状態の平面図である。
【００４５】
図７および図８Ａに示すように、プッシュスイッチ１Ａは略直方体の外形である。プッシュスイッチ１Ａは、基材部３００と、基材部３００に設けた凹部を覆うように基材部３００に結合したシート部材３１０と、固定接点部（第１接点２１０、第２接点２２０、第３接点２３０）と、接触部材２５０と、ドーム状部２６２と脚部２６４とを一体形成した可動部材２７０と、シート部材３１０およびドーム状部２６２の間に配置した押圧体２８０と、を有する。なお、以下では図８Ａなどに示すように、基材部３００の外形に沿う方向を夫々第３方向１００１、第４方向１００２と定義して説明する。
【００４６】
基材部３００の凹部は、開口部が略矩形状であり、凹部の底面から固定接点部（第１接点２１０、第２接点２２０、第３接点２３０）が露出するように（英語的に必要ならば復活OKです。玉野）基材部３００に配置されている。すなわち、基材部３００では、凹部の底面が一面３０２である。凹部は、一面３０２を底部として、第３方向１００１に対向する第１壁部３０５と第２壁部３０６、および第４方向１００２に対向する第３壁部３０７と第４壁部３０８によって形成されている。凹部内には接触部材２５０が配置されている。つまり、固定接点部（第１接点２１０、第２接点２２０、第３接点２３０）と接触部材２５０とで構成されるスイッチ接点部は、凹部内に配置されている。
【００４７】
第１接点２１０、第２接点２２０、第３接点２３０は、図１０に示すように、互いに電気的に独立しており、一面３０２から露出するように基材部３００の底部に配置されている。二つの第１接点２１０は凹部の隅に配置されている。２つの第１接点２１０の一つは、互いに略直交関係で位置する第１壁部３０５と第３壁部３０７の内壁近傍位置に配置され、２つの第１接点２１０の他の一つは、互いに略直交関係で位置する第３壁部３０７と第２壁部３０６の内壁近傍位置に配置されている。
【００４８】
第３接点２３０は、一面３０２の中央位置付近から露出するように配置されている。第２接点２２０は、第１壁部３０５の内壁近傍位置で、かつ凹部内での第４方向１００２における中央位置に一つ配置されている。第３接点２３０の露出面２３０Ａの高さは、第２接点２２０の露出面２２０Ａの高さよりも低い。具体的には、第２接点２２０は一面３０２から突出している。第３接点２３０は、一面３０２の樹脂面から一段下がった位置に配置されている。すなわち、第３接点２３０の周囲位置は一面３０２を形成する絶縁樹脂で埋め込まれて、この絶縁樹脂部分で囲まれて形成された円形の段差部３０３の内底面に第３接点２３０が露出している。
【００４９】
以上の説明からも判るように、図１０に示すように、プッシュスイッチ１Ａにおいてもプッシュスイッチ１と同様に、第１接点２１０の露出面２１０Ａと第３接点２３０の露出面２３０Ａとを繋ぐ仮想的な直線に対して、第２接点２２０の露出面２２０Ａと第３接点２３０の露出面２３０Ａとを繋ぐ仮想的な直線が交差関係になるように、第１接点２１０、第２接点２２０、第３接点２３０は、基材部３００に配置されている。また、上述したプッシュスイッチ１と同様に第１接点２１０の露出面２１０Ａと第３接点２３０の露出面２３０Ａとを繋ぐ仮想的な直線距離に対して、第２接点２２０の露出面２２０Ａと第３接点２３０の露出面２３０Ａとを繋ぐ仮想的な直線距離は短い寸法になるように設定されている。換言すれば、第１接点２１０の露出面２１０Ａよりも内側位置に第２接点２２０の露出面２２０Ａが配置され、さらに第２接点２２０の露出面２２０Ａよりも内側位置に第３接点２３０の露出面２３０Ａが配置されている。なお、第３接点２３０の露出面２３０Ａは基材部３００の凹部の中央位置に配置すると望ましいが、この構成に限定されない。
【００５０】
接触部材２５０は、弾性を有する金属薄板から形成され、接触片２４０と接触片２４０の周囲を囲む枠部２５２を有する。枠部２５２は平面視で切れ目のない略矩形のリング状である。枠部２５２の外端形状は、凹部よりも少し小さい相似形である。枠部２５２は、同一面に位置する第１桟２５２Ａ〜第４桟２５２Ｄを有する。第１桟２５２Ａ〜第４桟２５２Ｄの隣り合う桟同士は略直交関係である。
【００５１】
図１１に示すように、接触部材２５０は、第３桟２５２Ｃが２つの第１接点２１０の基材部３００からの露出面２１０Ａに接するように配置されている。第３桟２５２Ｃに対して第４方向１００２側に対向して位置する第４桟２５２Ｄは、基材部３００の凹部の底部に樹脂で設けた段部に載せられている。第１接点２１０と段部とは略同等の高さ位置で設けている。この接触部材２５０の配置（初期状態）では、接触部材２５０は、第２接点２２０および第３接点２３０に対しては電気的に絶縁状態である。つまり、接触片２４０の一面３０２に対向する面（下面）が、第２接点２２０および第３接点２３０に間隔をあけて対向している。接触片２４０が第２接点２２０に間隔をあけて対向する方向および、接触片２４０が第３接点２３０に間隔をあけて対向する方向は、所謂操作方向に沿う上下方向である。そして、枠部２５２の第１桟２５２Ａ〜第４桟２５２Ｄの外端は、対応する第１壁部３０５〜第４壁部３０８の内壁によって移動規制を受けている。すなわち、接触部材２５０は、水平状態を保ったまま回動することの規制を受け、かつ、水平状態を保ったまま水平方向へ移動することの規制を受けるように、略水平状態を保った状態で枠部２５２は基材部３００の凹部内に配置されている。
【００５２】
接触部材２５０に設けた接触片２４０は、直線状に延びる外形で片持ち梁状である。接触片２４０は、図８Ａにおいて紙面右手の第２桟２５２Ｂに一体で設けられている。つまり、接触片２４０は、根元２４４が第２桟２５２Ｂの内周に繋がり、先端側の端部２４２まで第３方向１００１に沿って配置されている。根元２４４の第２桟２５２Ｂに繋がる位置は、第４方向１００２では略中央位置である。そして、図９Ａにも示すように、根元２４４付近には曲げ部が形成されていて、側面視では先端側の端部２４２が一面３０２から離れる位置になるように傾斜している。接触片２４０は端部２４２と根元２４４との間に平面視で太幅形状の中央部２４６を有する。中央部２４６の平面視形状は例えば略円形の形状である。
【００５３】
可動部材２７０は、４本の脚部２６４とこれらの脚部２６４に一体形成されたドーム状部２６２を有する。つまり可動部材２７０はドーム状部２６２に囲まれた領域（凹部２７０Ａ）（→図面内に符号２７０Ａがないようです。適度な図面に追記お願いします）を有する。ドーム状部２６２には、等間隔で同じ形状の貫通する四つの孔部２６３が形成されている。
【００５４】
なお、本実施の形態では、４つの孔部２６３が可動部材２７０に形成されているが、必ずしも孔部２６３は４つである必要はなく、孔部２６３の個数は限定されない。図８Ｂおよび図１２Ｂに、３つの孔部２６３が可動部材２７０に形成されている例を示す。なお、図８Ｂおよび図１２Ｂに示すプッシュスイッチに対応する断面図を図９Ｂに示す。
【００５５】
さらには、実施の形態１のように（図２参照）、本実施の形態においても、ドーム状部２６２に孔部２６３を形成しなくてもよい。
【００５６】
図１２Ａに示すように、可動部材２７０は、４つの孔部２６３の内の一つが端部２４２に重なるように、基材部３００に配置されている。可動部材２７０は、枠部２５２の隅部に脚部２６４が載るように配置されている。ドーム状部２６２の内面は、接触片２４０とは離間している。
【００５７】
シート部材３１０は第１壁部３０５〜第４壁部３０８上端に結合されており基材部３００の凹部を覆っている。押圧体２８０はシート部材３１０とドーム状部２６２の頂点部との間に配置されている。押圧体２８０は、シート部材３１０に保持されると望ましいが、ドーム状部２６２に保持されていてもよい。押圧体２８０はドーム状部２６２の中央部に操作力を伝達するために配置している。押圧体２８０はシート部材３１０の外面に配置してもよい。押圧体２８０を有しない構成にしてもよい。
【００５８】
以上のように、実施の形態２によるプッシュスイッチ１Ａは構成されている。次にプッシュスイッチ１Ａの動作について説明する。
【００５９】
[１段目のスイッチ動作]
シート部材３１０を介して押圧体２８０が下方に向かって押し込まれると、押圧体２８０から可動部材２７０に操作力が伝わる。可動部材２７０に所定の大きさの力が加わると、上方に向かって突出していたドーム状部２６２の中央部が一面３０２側に向かって（下方に向かって）突出するように弾性変形する。ドーム状部２６２の弾性変形に応じてドーム状部２６２の天面で接触片２４０の中央部２４６が押されて、接触片２４０は、端部２４２が一面３０２側に下がるように移動していく。つまり接触片２４０の傾斜角度が少なくなっていき、端部２４２が第２接点２２０に接触する。これによって、第２接点２２０と第１接点２１０との間が接触片２４０を介して電気的に接続される。つまり、クリック感触を得つつ、１段目のスイッチの状態がオン状態に切り換わる。
【００６０】
[２段目のスイッチ動作]
その後、１段目のスイッチの状態がオン状態から、押圧体２８０への更なる押圧操作が実行されると、接触片２４０は下方に向かって更に押圧される。この時、接触片２４０の中央部２４６付近は第３接点２３０に近づくように変移する。すなわち、可動部材２７０へ操作力を加えることにより、ドーム状部２６２の内面が接触片２４０の中央部２４６付近を下方側（第３接点２３０側）に凹状に変移させ、その結果、接触片２４０の中央部２４６と第３接点２３０が接触する。この時、第２接点２２０に加えて第３接点２３０も可動部材２７０を介して第１接点２１０と電気的に接続される。すなわち、２段目のスイッチの状態が切り換わる。この２段目のスイッチの状態の切り換えに要する力は、プッシュスイッチ１と同様に例えば軽いタッチ操作で行うことも可能である。
【００６１】
以上のようにプッシュスイッチ１Ａにおいても上述したプッシュスイッチ１と同様に、１段目のスイッチがオン状態のまま、タッチ操作などの有無で２段目のスイッチの状態をオフ状態からオン状態に切り換えたり、オン状態からオフ状態に切り換えたりすることができる。
【００６２】
なお、接触片２４０は、端部２４２が平面視で４つの孔部２６３の内の一つに重なるように配置されている。この構成では、端部２４２が可動部材２７０に係合することを抑制でき、プッシュスイッチ１Ａの薄型化も容易に図れる。
【００６３】
なお、上述したプッシュスイッチ１と同様に接触片２４０の長さ設定などをドーム状部２６２に接触しない寸法に設定して接触片２４０と可動部材２７０との不要な係合を抑制してもよい。この構成では、孔部２６３の形成が不要にもなる。また、可動部材２７０の天面と接触片２４０の中央部２４６との間に弾性体を挟む構成等としてもよい。
【００６４】
［復帰動作］
次に押圧体２８０への操作力を除いた場合の動作について説明する。
【００６５】
押圧体２８０への押圧を中止すると、可動部材２７０などは元の形状に復帰し、接触片２４０も元の形状に復帰する。そして、再び、第１接点２１０〜第３接点２３０が互いに電気的独立状態に戻る。
【００６６】
以上のように本開示のプッシュスイッチ１Ａでは、クリック感触と共に１段目のスイッチがオン状態に切り換わる。その後、１段目のスイッチがオン状態を維持したままで、タッチ操作のように押圧体２８０に軽い操作をすることで、２段目のスイッチのオン/オフを切り換えることができる。例えば、上述したような仕様のプッシュスイッチを提供することができる。
【００６７】
なお、以上の二つの実施形態では、接触片４０、２４０は、片持ち梁状で、かつ接触片４０、２４０と第１接点１０、２１０とが予め電気的に導通状態になっている構成を例として説明した。接触片４０、２４０は、片持ち梁状に限定されることはない。また接触片４０、２４０と第１接点１０、２１０との間を電気的に導通させる構成も上記に説明した構成のみに限定されない。例えば接触片４０、２４０が、１段目の動作で第１接点１０、２１０および第２接点２０、２２０に接触する構成などにしてもよい。
【００６８】
（まとめ）
上述した本開示のプッシュスイッチ１（１Ａ）は、一面１０２（３０２）を含む基材部１００（３００）と、一面１０２（３０２）から一部が露出するように基材部１００（３００）に配置された第１接点１０（２１０）と、一面１０２（３０２）から一部が露出するように基材部１００（３００）に配置された第２接点２０（２２０）と、一面１０２（３０２）から一部が露出するように基材部１００（３００）に配置された第３接点３０（２３０）と、一面１０２（３０２）に対して第１方向（上方）に配置され、一方の端部（根元４４（２４４））が固定され他方の端部（端部４２（２４２））が移動可能な接触片４０（２４０）を有する接触部材５０（２５０）と、一面１０２（３０２）に対して第１方向（上方）に配置され、一面１０２（３０２）に向かって開口する凹部７０Ａ（２７０Ａ）を有する可動部材７０（２７０）と、を備える。接触部材５０（２５０）の接触片４０（２４０）は、可動部材７０（２７０）に対して第１方向と反対の方向である第２方向（下方）に配置され、可動部材７０（２７０）が第２方向（下方）に押圧され、可動部材７０（２７０）によって接触片４０（２４０）が第２方向（下方）に押圧されると、接触部材５０（２５０）は第２接点２０（２２０）を第１接点１０（２１０）に電気的に接続させ、可動部材７０（２７０）によって接触片４０（２４０）が更に第２方向（下方）に押圧されると、接触部材５０（２５０）は、第３接点３０（２３０）および第２接点２０（２２０）を、第１接点１０（２１０）に電気的に接続させる。
【００６９】
本開示のプッシュスイッチ１（１Ａ）では、接触部材５０（２５０）は、枠部５２（１５２）を更に有し、接触片４０（２４０）の一方の端部（根元４４（２４４））は、枠部５２（２５２）に固定されており、枠部５２（２５２）は、第１接点１０（２１０）に接触しており、接触片４０（２４０）の他方の端部（端部４２（２４２））は、第２接点２０（２２０）の基材部１００（３００）からの露出面２０Ａ（２２０Ａ）と第１方向（上方）に間隔を空けて配置されており、接触片４０（２４０）の中央部４６（２４６）は、第３接点３０（２３０）の基材部１００（３００）からの露出面３０Ａ（２３０Ａ）と第１方向（上方）に間隔を空けて配置されていると好ましい。
【００７０】
本開示のプッシュスイッチ１（１Ａ）では、第２接点２０（２２０）の基材部１００（３００）からの露出面２０Ａ（２２０Ａ）は、第３接点３０（２３０）の基材部１００（３００）からの露出面３０Ａ（２３０Ａ）より、第１方向（上方）に位置すると好ましい。
【００７１】
本開示のプッシュスイッチ１（１Ａ）では、一面１０２（３０２）は第２方向（下方）に下がる段差部１０２Ａ（３０３）を有し、第１接点１０（２１０）および第２接点２０（２２０）は、段差部１０２Ａ（３０３）の周辺領域で露出しており、第３接点３０（２３０）は、段差部１０２Ａ（３０３）内で露出しているとより好ましい。
【００７２】
本開示のプッシュスイッチ１（１Ａ）では、可動部材７０（２７０）の凹部７０Ａ（２７０Ａ）の内壁が、接触片４０（２４０）の中央部４６（２４６）を第２方向に押圧することで、接触片４０（２４０）の中央部４６（２４６）が第３接点３０（２３０）に向かって突出するように変移可能であると好ましい。
【００７３】
本開示のプッシュスイッチ１（１Ａ）では、第１方向（上方）から見て、第３接点３０（２３０）の基材部１００（３００）からの露出面３０Ａ（２３０Ａ）の中心と第１接点１０（２１０）の基材部１００（３００）からの露出面１０Ａ（２１０Ａ）の中心とを繋ぐ第１仮想直線と、第３接点３０（２３０）の基材部１００（３００）からの露出面３０Ａ（２３０Ａ）の中心と第２接点２０（２２０）の基材部１００（３００）からの露出面の中心とを繋ぐ第２仮想直線とが交差するように、第１接点１０（２１０）、第２接点２０（２２０）、および第３接点３０（２３０）は、基材部１００（３００）に配置されているとより好ましい。
【産業上の利用可能性】
【００７４】
本開示にかかるプッシュスイッチは、クリック感触が得られつつ１段目のスイッチの状態が切り換わり、その後に２段目のスイッチの状態の切り替えを行えるプッシュスイッチとして提供でき、各種電子機器の入力操作部を構成する際などに有用である。
【符号の説明】
【００７５】
１  プッシュスイッチ
１Ａ  プッシュスイッチ
１０  第１接点
１０Ａ  露出面
２０  第２接点
２０Ａ  露出面
３０  第３接点
３０Ａ  露出面
４０  接触片
４２  端部
４４  根元
４６  中央部
５０  接触部材
５２  枠部
５４  規制部
５６  係止片
６２  ドーム状部
６２Ａ  凸部
６４  突起部
７０  可動部材
７０Ａ  凹部
８０  操作体
１００  基材部
１０２  一面（第１面）
１０２Ａ  段差部
１０２Ｂ  周辺領域
１０４  係合部
１１０  筒状部材
２１０  第１接点
２１０Ａ  露出面
２２０  第２接点
２２０Ａ  露出面
２３０  第３接点
２３０Ａ  露出面
２４０  接触片
２４２  端部
２４４  根元
２４６  中央部
２５０  接触部材
２５２  枠部
２５２Ａ  第１桟
２５２Ｂ  第２桟
２５２Ｃ  第３桟
２５２Ｄ  第４桟
２６２  ドーム状部
２６３  孔部
２６４  脚部
２７０  可動部材
２７０Ａ  凹部
２８０  押圧体
３００  基材部
３０２  一面（第１面）
３０３  段差部
３０５  第１壁部
３０６  第２壁部
３０７  第３壁部
３０８  第４壁部
３１０  シート部材
１００１  第３方向
１００２  第４方向
【図１】
2019176405.tif 000003
【図２】
2019176405.tif 000004
【図３】
2019176405.tif 000005
【図４】
2019176405.tif 000006
【図５】
2019176405.tif 000007
【図６】
2019176405.tif 000008
【図７】
2019176405.tif 000009
【図８Ａ】
2019176405.tif 000010
【図８Ｂ】
2019176405.tif 000011
【図９Ａ】
2019176405.tif 000012
【図９Ｂ】
2019176405.tif 000013
【図１０】
2019176405.tif 000014
【図１１】
2019176405.tif 000015
【図１２Ａ】
2019176405.tif 000016
【図１２Ｂ】
2019176405.tif 000017
【図１３Ａ】
2019176405.tif 000018
【図１３Ｂ】
2019176405.tif 000019
【図１３Ｃ】
2019176405.tif 000020
【国際調査報告】
2019176405.tif 000021
2019176405.tif 000022
2019176405.tif 000023
2019176405.tif 000024